(57)【特許請求の範囲】
【請求項１】
指定された領域の地図上に表示されるオブジェクトであって、当該オブジェクトの詳細な表示を行うのに適した縮尺及び／又は表示方向が設定されているオブジェクトを選択する選択手段と、
前記オブジェクトが選択されると地図表示から前記選択されたオブジェクトに対応する領域を示す地図領域表示に切り替え、前記地図領域表示において前記地図表示に対して地図の縮尺および表示方向の少なくとも一つを前記詳細な表示を行うのに適した縮尺及び／又は表示方向に変更する地図表示制御手段と、を備え、
前記地図表示制御手段は、前記地図表示と前記地図領域表示とを双方向に切り替え可能に表示させるとともに、前記地図領域表示に移る前の地図表示と、前記地図領域表示から戻った後の地図表示との間で、地図の表示位置と、地図の縮尺と、地図の表示方向とを一致するように制御することを特徴とする情報処理システム。
【請求項２】
前記オブジェクトは、地図上の領域を示したものであることを特徴とする請求項１に記載の情報処理システム。
【請求項３】
前記地図表示制御手段は、前記地図表示と前記地図領域表示との切り替えの際に、前記地図および前記地図表示の地図縮尺と前記地図領域表示の地図縮尺に基づいてズームインアニメーションまたはズームアウトアニメーションを表示させることを特徴とする、請求項１または２に記載の情報処理システム。
【請求項４】
前記オブジェクトは、道路情報または道路に関連する情報であり、
前記地図表示制御手段は、前記地図領域表示において、前記道路情報または前記道路に関連する情報を含む地図を、北方向を上にして表示させる請求項１〜３のいずれか１項に記載の情報処理システム。
【請求項５】
前記地図表示において、所定領域の天気の表示を選択可能な入力部をさらに備え、
前記地図表示制御手段は、前記天気の表示の選択に応じて、前記地図領域表示において、前記所定領域の天気を表示させる請求項１〜４のいずれか１項に記載の情報処理システム。
【請求項６】
コンピュータを、
指定された領域の地図上に表示されたオブジェクトであって、当該オブジェクトの詳細な表示を行うのに適した縮尺及び／又は表示方向が設定されているオブジェクトが選択されると地図表示から前記選択されたオブジェクトに対応する領域を示す地図領域表示に切り替え、前記地図領域表示において前記地図表示に対して地図の縮尺および表示方向の少なくとも一つを前記詳細な表示を行うのに適した縮尺及び／又は表示方向に変更する地図表示制御手段として機能させ、
前記地図表示制御手段は、前記地図表示と前記地図領域表示とを双方向に切り替え可能に実行し、前記地図領域表示に移る前の地図表示と、前記地図領域表示から戻った後の地図表示との間で、地図の表示位置と、地図の縮尺と、地図の表示方向とを一致させることを特徴とする情報処理プログラム。
【請求項７】
通信可能に接続された複数のコンピュータによって構成される情報処理システムであって、
指定された領域の地図上に表示されたオブジェクトであって、当該オブジェクトの詳細な表示を行うのに適した縮尺及び／又は表示方向が設定されているオブジェクトが選択されると地図表示から前記選択されたオブジェクトに対応する領域を示す地図領域表示に切り替え、前記地図領域表示において前記地図表示に対して地図の縮尺および表示方向の少なくとも一つを前記詳細な表示を行うのに適した縮尺及び／又は表示方向に変更する地図表示制御手段を備え、
前記地図表示制御手段は、前記地図表示と前記地図領域表示とを双方向に切り替え可能に実行し、前記地図領域表示に移る前の地図表示と、前記地図領域表示から戻った後の地図表示との間で、地図の表示位置と、地図の縮尺と、地図の表示方向とを一致させる情報処理システムを機能させるために、
上記コンピュータの少なくとも１つを上記手段の少なくとも１つとして機能させるための情報処理プログラム。
【請求項８】
通信可能に接続された複数のコンピュータによって、請求項１〜５のいずれかに記載の情報処理システムを機能させるために、
上記コンピュータのうちの１つを請求項１〜５のいずれかに記載の情報処理システムにおける各手段の少なくとも１つとして機能させるための情報処理プログラム。
【請求項９】
コンピュータを、請求項１〜５のいずれかに記載の情報処理システムにおける各手段の少なくとも１つとして機能させるための情報処理プログラム。
【請求項１０】
通信可能に接続された複数の情報処理装置によって、
指定された領域の地図上に表示されたオブジェクトであって、当該オブジェクトの詳細な表示を行うのに適した縮尺及び／又は表示方向が設定されているオブジェクトが選択されると地図表示から前記選択されたオブジェクトに対応する領域を示す地図領域表示に切り替え、前記地図領域表示において前記地図表示に対して地図の縮尺および表示方向の少なくとも一つを前記詳細な表示を行うのに適した縮尺及び／又は表示方向に変更する地図表示制御手段を備え、
前記地図表示制御手段は、前記地図表示と前記地図領域表示とを双方向に切り替え可能に実行し、前記地図領域表示に移る前の地図表示と、前記地図領域表示から戻った後の地図表示との間で、地図の表示位置と、地図の縮尺と、地図の表示方向とを一致させる情報処理システムを構成するために、
上記手段の少なくとも１つを備えたことを特徴とする情報処理装置。
【請求項１１】
地図表示制御手段が、指定された領域の地図上に表示されたオブジェクトであって、当該オブジェクトの詳細な表示を行うのに適した縮尺及び／又は表示方向が設定されているオブジェクトが選択されると地図表示から前記選択されたオブジェクトに対応する領域を示す地図領域表示に切り替え、前記地図領域表示において前記地図表示に対して地図の縮尺および表示方向の少なくとも一つを前記詳細な表示を行うのに適した縮尺及び／又は表示方向に変更するステップと、
前記地図表示制御手段が、前記地図領域表示から前記地図表示に戻るステップであって、前記地図領域表示から戻った後の地図表示と、前記地図領域表示に移る前の地図表示との間で、地図の表示位置と、地図の縮尺と、地図の表示方向とを一致させるステップと、
を有することを特徴とする情報処理方法。
【発明の詳細な説明】
【技術分野】
【０００１】
本発明は、情報処理システム、情報処理プログラム、情報処理装置、および情報処理方法に関する。
【背景技術】
【０００２】
従来、パソコンやスマートフォン等の電子機器においては、地図表示から地図の詳細情報表示への切り替え、また、詳細情報表示から地図表示への切り替えが可能な地図表示システム（例えば、非特許文献１参照）が採用されている。
【０００３】
具体的には、地図表示システムでは、任意の方向を上方向にした地図表示中において地図中の地点を指定すると、詳細情報表示としてのストリートビュー（登録商標）の表示に遷移する。また、ストリートビューにおいて戻るボタンを押下すると、地図表示に戻る。地図表示に戻る際に、指定した地点を中心とし北方向を上にした地図（ノースアップ地図）に切り替わる。
【先行技術文献】
【非特許文献】
【０００４】
【非特許文献１】http://www.google.co.jp/maps
【発明の概要】
【発明が解決しようとする課題】
【０００５】
しかしながら、従来の地図表示システムでは、詳細情報表示から戻った後の地図表示が、詳細情報表示に移る前の地図表示と、表示態様において異なっていた。このため、ユーザは、地図を把握するのに手間取るといった問題があった。
【０００６】
具体的には、従来の地図表示システムでは、詳細情報表示から地図表示に戻ると、詳細情報表示に移る前の地図表示において地図上に表示されユーザが把握していたオブジェクトの位置関係が崩れてしまっていた。このため、ユーザは、詳細情報表示に移る前の地図表示において把握していたオブジェクトの位置関係を再度把握し直す必要があり、利便性が悪かった。
【０００７】
本発明は、地図表示から詳細情報表示に遷移した後に地図表示に戻る場合における地図表示の視認性および利便性を向上させることができる情報処理システム、情報処理プログラム、情報処理装置、および情報処理方法を提供する。
【課題を解決するための手段】
【０００８】
本発明に係る情報処理システムは、
地図および詳細情報を表示する表示手段と、
地図表示と詳細情報表示とを双方向に切り替え可能に前記表示手段に表示させるとともに、前記詳細情報表示に移る前の地図表示と、前記詳細情報表示から戻った後の地図表示との間で、地図の表示位置と、地図の縮尺と、地図の表示方向とを一致するように制御する地図表示制御手段と、
を備えることを特徴とする。
【発明の効果】
【０００９】
本発明によれば、地図表示から詳細情報表示に遷移した後に地図表示に戻る場合における地図表示の視認性および利便性を向上させることができる。
【図面の簡単な説明】
【００１０】
【図１】第１の実施形態に係る情報処理システム１の概略的な構成を示す図である。
【図２】第１の実施形態に係る情報処理システム１の動作の一例を示すフローチャートである。
【図３】第１の実施形態に係る情報処理システム１の動作の一例として、地図表示から詳細情報表示への画面遷移の一例を示す図である。
【図４】第１の実施形態に係る情報処理システム１の動作の一例として、詳細情報表示から地図表示への画面遷移の一例を示す図である。
【図５】比較例として、詳細情報表示から遷移した地図表示の表示画面の一例を示す図である。
【図６】第１の実施形態の変形例に係る情報処理システム１の動作の一例として、地図表示から詳細情報表示へのズームインアニメーションを介した画面遷移の一例を示す図である。
【図７】第２の実施形態に係る情報処理システム１の動作の一例として、地図表示から詳細情報表示への画面遷移の一例を示す図である。
【発明を実施するための形態】
【００１１】
以下、本発明に係る実施形態について、図面を参照しながら具体的に説明する。なお、各図において同等の機能を有する構成要素には同一の符号を付し、同一符号の構成要素の詳しい説明は繰り返さない。
【００１２】
（第１の実施形態）
先ず、本発明に係る情報処理システムの第１の実施形態として、選択されたオブジェクトを詳細情報表示する情報処理システム１について説明する。本実施形態に係る情報処理システム１は、モバイル端末（スマートフォン、携帯電話、タブレット端末等）やパソコン等の電子機器の使用者（以下、単に「ユーザ」ともいう）に対して地図を提供するシステムである。
【００１３】
情報処理システム１は、図１に示すように、端末装置２を備えている。情報処理システム１は、更に、サーバ（図示せず）を備えていてもよい。サーバは、インターネット等のネットワークを介して端末装置２と通信可能に接続されていてもよい。ネットワークとは、有線回線および無線回線のいずれでもよく、回線の種類や形態は問わない。なお、端末装置２および上記サーバの少なくとも一部は、コンピュータにより実現される。
【００１４】
端末装置２は、地図を表示するためにユーザが使用するものであり、例えば、スマートフォンやタブレット端末等のモバイル端末である。なお、端末装置２は、デスクトップ型のパソコンであってもよい。
【００１５】
端末装置２は、図１に示すように、通信部２０と、記憶部２１と、制御部２２と、入力部２３と、出力部２４とを有する。
【００１６】
通信部２０は、ネットワークを介して端末装置２と、サーバとの間で情報を送受信可能なインターフェースである。なお、サーバとの間で情報を送受信しない場合、通信部２０は省略してよい。
【００１７】
記憶部２１は、例えば内蔵メモリや外部メモリ（ＳＤメモリカード等）などのデータストレージであり、各種データを格納する。なお、記憶部２１は、必ずしも端末装置２内に設けられなくてもよく、ネットワークを介して端末装置２と通信可能に接続された別の装置（例えば、サーバ）内に設けられてもよい。
【００１８】
記憶部２１は、地図情報を記憶する地図情報記憶手段として機能する。地図情報は、全国または各地方の道路地図などの地図データを含み、地図データに対応付けられた地図オブジェクト情報を含んでいる。地図オブジェクト情報は、バイクで走行するためのツーリングロードを含む。
【００１９】
なお、地図オブジェクト情報は、ツーリングロード以外の線情報を含んでいてもよい。ツーリングロード以外の線情報としては、例えば、サイクリングロード、景観のよい道路、観光道、商店街、一般的な道路などの、ツーリングロードを含む道路情報や、渋滞線など道路に関連する情報であって、地図上で線描画されるものを挙げることができる。また、地図オブジェクト情報は、面情報を含んでいてもよい。面情報としては、例えば、行政区や、領域を持ったＰＯＩ（Ｐｏｉｎｔ  Ｏｆ  Ｉｎｔｅｒｅｓｔ）などを挙げることができる。領域を持ったＰＯＩは、例えば、公園、遊園地、ショッピングモールである。また、地図オブジェクト情報は、点情報を含んでいてよい。点情報としては、例えば、広さが殆どないＰＯＩなどを挙げることができる。
【００２０】
また、記憶部２１は、地図表示設定情報を記憶する地図表示設定記憶手段としても機能する。ここで、地図表示設定情報とは、地図表示の条件を設定した情報である。地図表示設定情報は、入力部２３を介したユーザの指示に応じて設定される。ユーザの指示がない場合、地図表示設定情報はデフォルトで設定された情報でよい。
【００２１】
地図表示設定情報は、例えば、地図の表示位置、地図の縮尺、地図の表示方向および地図の角度を含む。ここで、地図の表示位置は、地図の中心位置であり、移動体や端末装置の位置でもよいし、あるいは移動体や端末装置の位置からずれた位置であってもよく、ユーザが指定した位置であってもよい。地図の表示方向は、地図の上方を移動体の進行方向とした表示方向であってもよい。この表示方向は、移動体の進行方向を上にした地図を表示するヘディングアップモードとして設定されてもよい。また、地図の表示方向は、地図の上方を北方向とした表示方向であってもよい。この表示方向は、北方向を上にした地図を表示するノースアップモードとして設定されてもよい。また、地図の表示方向は、表示モードの設定とは独立した入力部２３の操作で設定された向き（例えば、南東向き等）であってもよい。地図の角度は、例えば、地図を垂直に見下ろす２Ｄまたは地図を斜めに見下ろす３Ｄである。この他にも、地図の角度は、３Ｄにおける見下ろし角度を含んでいてもよい。
【００２２】
入力部２３は、ユーザが端末装置２に情報を入力するためのインターフェースであり、例えばモバイル端末におけるタッチパネルやマイクロフォン、デスクトップ型のパソコンにおけるキーボード、タッチパッドもしくはダイヤルボタンであってもよい。
【００２３】
出力部２４は、端末装置２からユーザに対して各種情報を出力するインターフェースであり、例えば液晶ディスプレイ等の表示手段である。具体的には、出力部２４は、地図やユーザからの操作を受け付けるためのＧＵＩ（Ｇｒａｐｈｉｃａｌ  Ｕｓｅｒ  Ｉｎｔｅｒｆａｃｅ）を表示する。
【００２４】
制御部２２は、地図表示制御手段として機能する。具体的には、制御部２２は、表示手段としての出力部２４に、地図表示と地図の詳細情報表示とを双方向に切り替え可能に実行（表示）させる。ここで、詳細情報表示は、地図表示で表示した地図の表示位置、表示縮尺、地図向き、および、画面内での地図表示領域の少なくとも一つを変更した地図を含んでいてもよい。この場合、制御部２２は、地図表示から詳細情報表示に切り替える際、地図表示で表示した地図と詳細情報表示中の地図を連続して表示させるように制御する。また、制御部２２は、詳細情報表示に移る前の地図表示と、詳細情報表示から戻った後の地図表示との間で、地図の表示位置と、地図の縮尺と、地図の表示方向とを一致するように制御する。なお、制御部２２は、端末装置２の外部の表示手段による地図表示を制御するものであってもよい。
【００２５】
制御部２２は、出力部２４に、地図中のオブジェクトを選択可能な表示態様で地図表示をさせる。これにより、地図表示において、入力部２３を用いた地図中のオブジェクトの選択が可能となる。制御部２２は、地図中のオブジェクトの選択に応じて、選択されたオブジェクトに対応した地図表示設定情報（すなわち表示位置、縮尺および表示方向）に基づく詳細情報表示を、出力部２４に実行させる。オブジェクトは、ツーリングロードであってもよい。ツーリングロードに対応した表示方向は、ノースアップに該当する方向であってよい。
【００２６】
なお、制御部２２は、端末装置２内のプロセッサが所定のプログラムを実行することによって実現されてもよい。
【００２７】
次に、図１の情報処理システム１の動作例について説明する。図２は、第１の実施形態に係る情報処理システム１の動作の一例を示すフローチャートである。
【００２８】
先ず、図２に示すように、制御部２２は、出力部２４に、ツーリングロードを含む地図表示を実行させる（ステップＳ１）。このとき、制御部２２は、記憶部２１にデフォルト設定として記憶されている地図表示設定情報に基づいて、出力部２４に地図表示を実行させてもよい。また、制御部２２は、出力部２４に、入力部２３を用いた地図表示設定情報の変更操作が可能な表示態様の地図表示を実行させる。
【００２９】
ここで、地図表示から詳細情報表示への画面遷移について説明する。図３は、第１の実施形態に係る情報処理システム１の動作の一例として、地図表示から詳細情報表示への画面遷移の一例を示す図である。具体的には、図３（Ａ）は、第１〜第３のツーリングロードＲ＿１〜Ｒ＿３を含む地図画面ＳＣ＿１を示す図である。図３（Ｂ）は、地図画面ＳＣ＿１に対する第１のツーリングロードＲ＿１の選択状態を示す図である。図３（Ｃ）は、第１のツーリングロードＲ＿１を選択した場合の詳細情報画面ＳＣ＿２を示す図である。
【００３０】
例えば、制御部２２は、図３（Ａ）に示すように、第１〜第３のツーリングロードＲ＿１〜Ｒ＿３を含む地図画面ＳＣ＿１を表示する。図３（Ａ）に示すように、地図画面ＳＣ＿１は、自車位置マークＭ＿１や、地図上にツーリングロードを重畳表示していることを示すマークＭ＿２や、縮尺変更ボタンＢ＿１を含んでいてもよい。
【００３１】
図３（Ａ）の地図画面ＳＣ＿１に対応する地図表示設定情報のうち、地図表示位置は、自車位置からずれた位置である。また、縮尺は、２０ｋｍである。また、表示モードは、ヘディングアップモードである。また、向きは、南東向きである。また、角度は２Ｄである。
【００３２】
次いで、制御部２２は、地図表示設定情報の変更操作の有無を判定する（ステップＳ２）。そして、変更操作が有った場合（ステップＳ２：Ｙｅｓ）、制御部２２は、出力部２４に、変更された地図表示設定情報に基づく地図表示を実行させる（ステップＳ３）。なお、記憶部２１は、地図表示設定情報の変更操作の際に、変更された地図表示設定情報を記憶する。
【００３３】
次いで、制御部２２は、地図画面ＳＣ＿１におけるツーリングロードの選択の有無を判定する（ステップＳ４）。この判定は、変更された地図表示設定情報に基づく地図表示を実行する場合（ステップＳ３）および地図表示設定情報を変更しない場合（ステップＳ２：Ｎｏ）のいずれの場合にも行う。
【００３４】
そして、ツーリングロードが選択された場合（ステップＳ４：Ｙｅｓ）には、制御部２２は、ツーリングロードに対応した地図表示設定情報に基づく詳細情報表示を、出力部２４に実行させる（ステップＳ５）。ツーリングロードに対応した地図表示設定情報は、ツーリングロードの表示に適した地図表示設定情報である。このとき、制御部２２は、詳細情報表示を、地図表示に戻るための入力操作を受け付けることが可能な表示態様で出力部２４に実行させる。一方、ツーリングロードが選択されなかった場合（ステップＳ４：Ｎｏ）には、地図表示設定情報の変更操作の有無の判定（ステップＳ２）に戻る。
【００３５】
例えば、図３（Ｂ）に示すように、地図画面ＳＣ＿１の中から第１のツーリングロードＲ＿１が手Ｈでタッチ操作された場合、制御部２２は、図３（Ｃ）に示すように、第１のツーリングロードＲ＿１の全景図をノースアップ表示させてもよい。ツーリングロードの全景図をノースアップ表示することで、日常生活で見慣れている北向きの地図で全景図を視認できる。また、進行方向にかかわらず表示方向が一定の全景図を表示することで、ユーザが同じツーリングロードの全景図を見たことを思い出しやすい。したがって、ツーリングロードの全景図をノースアップ表示することで、地図の視認性および識別性を向上させることができる。
【００３６】
なお、選択されたツーリングロードの詳細情報表示は、選択されたツーリングロードの始点と終点が収まる縮尺での表示であれば、全景図の表示に限定されない。例えば、始点と終点との間の一部の区間が画面から逸脱していてもよい。
【００３７】
図３（Ｃ）に示すように、詳細情報画面ＳＣ＿２は、地図表示に戻ることを選択する戻るボタンＢ＿２を含んでいる。また、図３（Ｃ）に示すように、詳細情報画面ＳＣ＿２は、選択されたツーリングロードＲ＿１の名称と、ツーリングロードＲ＿１をナビゲーションの目的地に設定する目的地設定ボタンＢ＿３とを含んでいてもよい。
【００３８】
次いで、図２に示すように、制御部２２は、地図表示に戻ることが選択されたか否かを判定する（ステップＳ６）。
【００３９】
そして、地図表示に戻ることが選択された場合（ステップＳ６：Ｙｅｓ）には、制御部２２は、出力部２４に、直前の地図表示設定情報に基づく地図表示を実行させる。直前の地図表示設定情報は、地図表示当初（ステップＳ１）の地図表示設定情報の場合もあるし、また、変更後の地図表示設定情報（ステップＳ３）の場合もある。
【００４０】
ここで、詳細情報表示から地図表示への画面遷移について説明する。図４（Ａ）および図４（Ｂ）は、第１の実施形態に係る情報処理システム１の動作の一例として、詳細情報表示から地図表示への画面遷移の一例を示す図である。具体的には、図４（Ａ）は、詳細情報画面ＳＣ＿２における戻るボタンＢ＿２の選択状態を示す面である。図４（Ｂ）は、第１〜第３のツーリングロードＲ＿１〜Ｒ＿３を含む地図画面ＳＣ＿１を示す図である。
【００４１】
例えば、図４（Ａ）に示すように、詳細情報画面ＳＣ＿２において戻るボタンＢ＿２がタッチ操作された場合、制御部２２は、図４（Ｂ）に示すように、図３（Ａ）と同じ地図画面ＳＣ＿１を出力部２４に表示させる。
【００４２】
図５は、比較例として、詳細情報表示から遷移した地図表示の表示画面の一例を示す図である。この例では、図４（Ａ）の詳細情報画面ＳＣ＿２から、図５の地図画面ＳＣに遷移する場合、図４（Ａ）の詳細情報画面ＳＣ＿２に遷移する前の地図画面ＳＣ＿１（図３（Ａ））と異なる表示態様の地図画面ＳＣが表示される。具体的には、図５の地図画面ＳＣは、移動体や端末装置の位置を中心にし、背景技術と同様にノースアップ表示され、図３（Ａ）の地図画面ＳＣ＿１に対して上下が反転している。そのため、図３（Ａ）の地図画面ＳＣ＿１を見た際にユーザが把握した各ツーリングロードＲ＿１〜Ｒ＿３の位置関係と異なっている。例えば、図３（Ａ）の地図画面ＳＣ＿１と図５の地図画面ＳＣでは、Ｒ＿１〜Ｒ＿３の画面内での絶対位置が異なる。また、各ツーリングロード間の相対位置が異なる。具体的には、図３（Ａ）の地図画面ＳＣ＿１において、Ｒ＿１の画面下方に表示されていたＲ＿３が、図５の地図画面ＳＣにおいて、Ｒ＿１の画面左上に表示されている。したがって、図５の地図画面ＳＣを見たユーザは、図３（Ａ）の地図画面ＳＣ＿１を見て認識した情報に基づいて、Ｒ＿１〜Ｒ＿３を認識することが難しい。また、図５と異なる比較例として、図４（Ａ）の詳細情報画面ＳＣ＿２から、この画面ＳＣ＿２で指定していた第１のツーリングロードＲ＿１を中心としたノースアップ地図（図示せず）に遷移する場合、第１のツーリングロードＲ＿１が、図５の場合よりも上方に表示されることになる。この結果、第１のツーリングロードＲ＿１よりも上方（北側）に位置する第２のツーリングロードＲ＿２は、画面スクロールをしない限り画面上で見えなくなる可能性がある。したがって、背景技術で述べたような指定した地点を中心としたノースアップ地図に切換える場合、Ｒ＿１〜Ｒ３を認識することが一層難しい。
【００４３】
これに対して、本実施形態では、詳細情報画面ＳＣ＿２に遷移する前の地図画面ＳＣ＿１と同じ地図画面ＳＣ＿１を表示する。これにより、ユーザは、詳細情報画面ＳＣ＿２への遷移前に把握していた各ツーリングロードＲ＿１〜Ｒ＿３の位置関係に基づき、地図画面ＳＣ＿１に戻った際にＲ＿１〜Ｒ＿３を容易に認識することができる。
【００４４】
以上述べたように、第１の実施形態によれば、詳細情報表示に移る前の地図表示と、詳細情報表示から戻った後の地図表示との間で、地図の表示位置と、地図の縮尺と、地図の表示方向とを一致させることができる。これにより、地図表示から詳細情報表示に遷移した後に地図表示に戻る場合における地図表示の視認性および利便性を向上させることができる。
【００４５】
（変形例）
次に、第１の実施形態の変形例について説明する。なお、本変形例の説明において、図１の情報処理システム１に対応する構成部については、同一の符号を用いて重複した説明を省略する。図６（Ａ）〜（Ｅ）は、第１の実施形態の変形例に係る情報処理システム１の動作の一例として、地図表示から詳細情報表示へのズームインアニメーションおよび回転を介した画面遷移の一例を示す図である。具体的には、図６（Ａ）は、地図画面ＳＣ＿１における第１のツーリングロードＲ＿１の選択状態を示す図である。図６（Ｂ）は、図６（Ａ）の画面ＳＣ＿１に対して第１のツーリングロードＲ＿１付近の地図をズームインした画面ＳＣ＿３を示す図である。図６（Ｃ）は、図６（Ｂ）の画面ＳＣ＿３に対して第１のツーリングロードＲ＿１付近の地図をズームインかつ右回転させた画面ＳＣ＿４を示す図である。図６（Ｄ）は、図６（Ｃ）の画面ＳＣ＿４に対して第１のツーリングロードＲ＿１付近の地図をズームインかつ右回転させた画面ＳＣ＿５を示す図である。図６（Ｅ）は、詳細情報画面ＳＣ＿２を示す図である。このように、図６の例では、地図表示から詳細情報表示への切り替えの際に、地図を回転しながらズームインするアニメーション表示を行う。
【００４６】
本変形例の情報処理システム１は、図１の情報処理システム１に対して、地図表示から詳細情報表示への切り替えの際に、制御部２２が出力部２４にズームインアニメーションを表示させる点が異なる。制御部２２は、地図と、地図表示の地図縮尺と、詳細情報表示の地図縮尺とに基づいて、ズームインアニメーションを出力部２４に表示させる。すなわち、地図表示から詳細情報表示に表示を切り換える際は、地図表示の地図縮尺から詳細情報表示の地図縮尺に徐々に変更していくことで、ズームインアニメーションを表示させる。なお、ズームインアニメーションを表示させる場合は、遷移前の地図（地図表示）の縮尺が遷移後の地図（詳細情報表示）より小さいときである。遷移前の地図（地図表示）の縮尺が遷移後の地図（詳細情報表示）より大きいときはズームアウトアニメーションを表示させることになる。なお、地図表示の向きが予め決められた詳細情報表示の向き（例えば、ノースアップ）と同じ場合には、ズームインの際に画面を回転させなくてよい。
【００４７】
本変形例によれば、ズームインアニメーションを表示することで、地図表示から詳細情報表示への遷移を途切れなく、すなわちシームレスに行うことができる。これにより、遷移に伴う縮尺の切り替わり方向（広域から詳細、または、詳細から広域）および変更度合をユーザに認識させながら画面を切り替えるので、ユーザは地図表示と詳細情報表示の縮尺の大小関係を認識しやすい。また、更に繊維の際に回転を加えることで、遷移に伴う向きの切り替わり方向および向きの切り替わり度合いをユーザに認識させながら画面を切り替えるので、地図表示と詳細情報表示の向きの角度差を認識しやすい。この結果、地図の視認性を更に向上させることができる。
【００４８】
なお、詳細情報表示から地図表示への切り替えの際に、制御部２２は、出力部２４に、地図に基づくズームアウトアニメーションを表示させてもよい。ズームインアニメーションの場合と同様に、制御部２２は、地図と、地図表示の地図縮尺と、詳細情報表示の地図縮尺とに基づいて、ズームアウトアニメーションを出力部２４に表示させてよい。ズームアウトアニメーションでは、ズームインアニメーションのときと逆方向に地図を回転させてよい。ズームアウトアニメーションを表示することで、詳細情報表示から地図表示への遷移をシームレスに行うことができる。この結果、地図の視認性を更に向上させることができる。
【００４９】
また、上記以外にも、第１の実施形態は種々変更してよい。例えば、地図表示において詳細情報表示のために選択可能なオブジェクトは、ツーリングロードに限らず、既述した渋滞線や行政区等のエリアや地点としてのＰＯＩであってもよい。渋滞線を選択する場合、詳細情報表示の際に、渋滞線のみが収まる表示位置および縮尺を設定してもよく、または、渋滞線に関連する道路を特定して、特定した道路が画面に収まる表示位置および縮尺を設定してもよい。また、ＰＯＩを選択する場合、詳細情報表示の際に、ＰＯＩの周辺が収まる表示位置および縮尺を設定してもよい。また、地図表示において選択可能なオブジェクトの種類は、複数種類あってもよい。
【００５０】
（第２の実施形態）
次に、本発明に係る情報処理システム１の第２の実施形態として、天気を表示する実施形態について説明する。なお、第２の実施形態の説明において、第１の実施形態に対応する構成部については、同一の符号を用いて重複した説明を省略する。
【００５１】
図７（Ａ）および（Ｂ）は、第２の実施形態に係る情報処理システム１の動作の一例として、地図表示から詳細情報表示への画面遷移の一例を示す図である。具体的には、図７（Ａ）は、地図画面ＳＣ＿１を示す図であり、図７（Ｂ）は、詳細情報画面ＳＣ＿２を示す図である。
【００５２】
第２の実施形態の情報処理システム１は、第１の実施形態に対して、詳細情報表示において天気情報を表示する点で第１の実施形態と異なる。具体的には、第２の実施形態において、入力部２３は、地図表示において、所定領域の天気の表示を選択可能である。所定領域は、例えば、地図表示において地図が示す領域である。所定領域は、地図表示において地図が示す領域外の領域であってもよい。また、制御部２２は、ユーザによる入力部２３を介した天気の表示の選択に応じて、詳細情報表示において、地図が示す領域の天気を出力部２４に表示させる。
【００５３】
入力部２３による天気情報の表示の選択は、図７（Ａ）に示すように、地図画面ＳＣ＿１上のボタンＢ＿４のタッチ操作として行ってもよい。ボタンＢ＿４のタッチ操作により、図７（Ｂ）に示すように、天気情報として、三次元の雨量グラフＧを地図上に降水箇所に重畳表示してもよい。
【００５４】
ここで、天気情報の表示は、局所的なエリアを示すよりも、ある程度広いエリアを示した方が降水箇所を把握しやすい。また、天気情報は、進行方向と関連して地理を把握しやすいヘディングアップで表示するよりも、絶対位置で地理を把握しやすいノースアップで表示する方が降水箇所を把握しやすい。また、地図上の各所の雨量グラフＧのグラフの高さで降水量を示すには、２Ｄより３Ｄ鳥瞰図表示の方が分かりやすい。このため、図７（Ｂ）の詳細情報画面ＳＣ＿２では、図７（Ａ）より小さい縮尺（３０ｋｍ）の地図をノースアップで鳥瞰図として表示している。また、図７（Ｂ）の詳細情報画面ＳＣ＿２には、図７（Ａ）の地図画面ＳＣ＿１に戻るためのボタンＢ＿５が含まれている。
【００５５】
なお、天気情報は、通信部２０が外部のサーバ（図示せず）から取得してよい。
【００５６】
第２の実施形態によれば、天気の表示に遷移した後にボタンＢ＿５をタッチ操作することで、天気の表示に遷移する前の地図画面ＳＣ＿１と同じ地図画面ＳＣ＿１を表示できる。これにより、第１の実施形態と同様に、地図表示から詳細情報表示に遷移した後に地図表示に戻る場合における地図表示の視認性および利便性を向上させることができる。
【００５７】
なお、第２の実施形態は、種々変更してよい。例えば、第１の実施形態の変形例と同様に、地図表示と詳細情報表示との切り替えを、ズームインまたはズームアウトによってシームレス化してもよい。また、地図の回転は、水平方向および垂直方向のいずれであってもよい。
【００５８】
また、天気情報以外にも、花粉情報や災害情報（津波情報等）を表示してもよい。花粉情報や災害情報も、通信部２０が外部サーバから取得してよい。
【００５９】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６０】
また、情報処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６１】
さらに、一つまたは複数の情報処理装置によって情報処理システムを機能させてもよい。複数の情報処理装置を用いる場合、情報処理装置のうちの１つをコンピュータとし、当該コンピュータが所定のプログラムを実行することにより情報処理システムの少なくとも１つの手段として機能が実現されてもよい。
【００６２】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００６３】
１  情報処理システム
２  端末装置
２１  記憶部
２２  制御部
２３  入力部
２４  出力部
【図１】
0006794095.tif 000002
【図２】
0006794095.tif 000003
【図３】
0006794095.tif 000004
【図４】
0006794095.tif 000005
【図５】
0006794095.tif 000006
【図６】
0006794095.tif 000007
【図７】
0006794095.tif 000008